(57)【要約】      （修正有）【課題】携帯電話等に使われる、マイクロＳＤあるいは、メモリー媒体等に多くのコンテンツを入力して、それを専用ケースに収納したものを商品とした、販売技術を提供する。【解決手段】来店したお客の注文２に応じて、販売４する、ＳＭＣカード９を全国各地の店１１に置き、さらに大量多様なコンテンツ１の処理機能を持ったコンテンツサーバーを設け、このコンテンツサーバーと専用インターネットで契約締結接続された、ＳＭＣシステム端末機８を全国各地の店１１に設置し、来店したお客は、求めるコンテンツ１を注文２すると、ＳＭＣシステム端末機８のファイルの中から、ＳＭＣカード９にコンテンツ１を瞬時に入力し、それを現金や、クレジットカード、プリペイドカード、ポイントカード等で決裁して購入する。【選択図】図２
2009070354.tif 000002
【特許請求の範囲】
【請求項１】
多様なコンテンツ（１）を求めて、来店したお客の注文（２）に応じて、販売（４）する、マイクロＳＤ（３）または、あらゆるコンパクトメモリーやチップ等を、専用ケース（５）に着脱可能に収めた、ＳＭＣカード（９）を全国各地の店（１１）に置く、さらに大量多様なコンテンツ（１）の情報記憶、情報整理、情報管理統制、情報削除、情報更新、情報配信等の機能を持った、マスターコンピュータを最大限に利用した、コンテンツサーバー（６）を設け、このコンテンツサーバー（６）と専用インターネット（７）で契約締結接続された、ＳＭＣシステム端末機（８）を全国各地の店（１１）に設置する、この前記端末機にはプリンター機能が付いており、ＳＭＣカード（９）やマイクロＳＤ（３）等の、ジャケットや取説内容等も打出される、このＳＭＣカード（９）とＳＭＣシステム端末機（８）は、店に設置する時に、ＳＭＣシステム管理会社（１０）と予め契約締結して、店主は前記管理会社にレンタル料金あるいは現金支払を行う、次にこれらが設置された店（１１）に、来店したお客は、求めるコンテンツ（１）を注文（２）すると、店側がＳＭＣシステム端末機のファイルの中から、マイクロＳＤ（３）にコンテンツ（１）を瞬時に入力する、あるいは、お客様自身でも入力操作は可能である、そしてお客は、ＳＭＣカード（９）として店（１１）より受取り、それを現金、クレジット、プリペイド、ポイント等で決裁支払いする、また前記端末機にファイルが不足してる場合は、店（１１）があるいは、お客自身でも操作可能を、コンテンツサーバー（６）より前記端末機に超高速ダウンロードを行い、瞬時にファイルして、マイクロＳＤ（３）にコンテンツ（１）を入力し、お客に敏速にＳＭＣカード（９）を販売する、このように顧客の求めるコンテンツ（１）を入力した、マイクロＳＤ（３）等の販売方法を特徴とする、ＳＭＣシステムである。
【発明の詳細な説明】
【技術分野】
【０００１】  本発明は、携帯電話等で鑑賞出来る多様なミュジック、ムービー、ブック、ゲーム等のコンテンツを入力した、スーパーマルチデジタルコンテンツシステム、略してＳＭＣシステムに於ける、マイクロＳＤ等の販売技術に関するものである。
【背景技術】
【０００２】  従来から、マイクロＳＤ等はメモリーチップとして、多数携帯電話等に使われている。
【発明の開示】
【発明が解決しようとする課題】
【０００３】  最近のマイクロＳＤ等はほんの爪先サイズでコミックで約２０冊分、２時間の映画、１０００曲分のカラオケ等情報入力能力を持ち、携帯電話よりダウンロードされたりコンピュータ、カーナビ、その他多くのデジタル機器に、利用されている。しかしながら、マイクロＳＤ等に求める情報を入力するには、これらの機器を自在に取扱う能力が必要であり、携帯電話等からダウンロードすることさえ面倒であり、特に中高年の方達のようなアナログ人間には、扱いづらいものである。【０００４】  だが技術革新は大きく、レコード、カセットテープ、ビデオテープ、ＭＤ、ＣＤ、ＤＶＤ、マイクロＳＤ等と変革し、あらゆるジャンルの音と映像が、鑑賞できる時代に入っており、このような時代に突入してる時に、現在の本屋さんや、ＣＤショップのように、店頭に多くの在庫数と、大きなスペースの確保は時代遅れであり、それがまた大きな経費負担になっている。だがまだまだ、中高年を中心にアナログ人間と言うかデジタル機器に不慣れな人は、大勢いるので最新鋭のマイクロＳＤをダウンロードする行為は、別の意味でこれらの人々に負担になっている。また、マイクロＳＤ等は非常に小さい為に、在庫スペースは要らない反面、その取扱い等の過程に於いて、それを、保管したり、移動したりする時に注意を要し、紛失にも注意がいる。
これら問題点を改善するために本発明はなされたのである。
【課題を解決するための手段】
【０００５】  これらの課題を解決する手段として、通常の書店（２４）やレコード店（１４）のように、多様なコンテンツ（１）を求めて、来店したお客の注文（２）に応じて何時でも販売（４）する、マイクロＳＤ（３）または、あらゆるコンパクトメモリーやチップ等を専用ケース（５）に着脱可能に収めた、ＳＭＣカード（９）を全国各地の店（１１）に置く、このＳＭＣカード（９）は、ほとんど名刺サイズであるから、１ｍ２のスペースさえあれば、大規模な書店（２４）、あるいはレコード店（１４）に匹敵する店になる。またこの全国各地の店（１１）には、マイクロＳＤ（３）等に、多様なコンテンツ（１）を入力する手段のＳＭＣシステム端末機（８）も設置する。この前記端末機には、プリンター機能が設けられており、ＳＭＣカード（９）やマイクロＳＤ（３）等の、ジャケットや取説内容等を打出し、これらに貼付ける。ＳＭＣカード（９）と、ＳＭＣシステム端末機（８）は、設置および置くときには、ＳＭＣシステム管理会社（１０）と契約締結して、店は前記管理会社にレンタル料金、あるいは現金、クレジット、プリペイド、ポイントカード等で決裁支払いを行う。さらに前記端末機は、専用インターネット（７）で契約締結接続され設けられた、コンテンツサーバー（６）から、超ハイスピードで、多種多様なコンテンツ（１）をダウンロードできる。つまりこのようなコンテンツサーバー（６）を設ける、このコンテンツサーバー（６）は、多種多量なコンテンツの情報記憶、整理、管理統制、削除、更新、配信等の自動機能を、持った、マスターコンピュータを最大限に利用する。【０００６】  つぎにこれらが設置された店（１１）に、来店したお客は、求めるコンテンツ（１）を注文（２）すると、店はＳＭＣシステム端末機（８）にマイクロＳＤ（３）あるいはあらゆるコンパクトメモリーやメモリーチップ等を差込み前記端末機のファイルの中から、マイクロＳＤ（３）等に注文されたコンテンツ（１）を瞬時に入力する。この入力操作は、お客が自分自身で出来る人は、自分で操作しても良い。そしてこのマイクロＳＤ（３）等を専用ケース（５）に収めて、これをＳＭＣカード（９）と呼ぶが、これを注文客に渡し、お客はその時点で店（１１）に現金あるいは、クレジットカード、プリペイドカード、ポイントカード等で支払って、ＳＭＣカード（９）を受取り購入を終了する。また、お客の注文時に於いて、ＳＭＣシステム端末機（８）に、お客の求めるコンテンツ（１）のファイルが不足してる場合には、店（１１）がコンテンツサーバー（６）より前記端末機に、超高速ダウンロードを実行して、瞬時に、ファイルしてマイクロＳＤ（３）等に入力書込をする。この操作は勿論、お客様自身で行うことが可能である。そしてお客に、敏速にＳＭＣカード（９）として販売する。ここで述べるコンテンツ（１）とは、商品としてのコミック本やその他多くの書籍、レコードＣＤ、ＤＶＤ類の音楽や映画ムービー、さらに各種ゲーム、学術や医学天文学におよび、各方面の娯楽から研究資料に至る、あらゆるジャンルの情報と云うことができる。また、ここで云う、店（１１）とはレコード店、携帯ショップ、駅構内や空港の小さなコーナー店、パチンコ店等、または店（��１）としての対象で無くても、新しい小スペースの空間を持ったモダンな、ショッピング場所として提案されている。
本発明は以上のような構成よりなる、ＳＭＣシステムである。
【発明の効果】
【０００７】  本発明により、従来のマイクＳＤ（３）等は美麗な専用ケース（５）と共に、保管面や取扱い面、で非常に扱いやすくなり、その商品性が強調され、この小さいチップ状のマイクロＳＤ（３）が、多種多量の情報、つまりコンテンツ（１）を格納してるために、従来の書籍等を扱う大型書店や、大型レコード店は、極端に云って必要で無くなり、将来は、これらにとって変わっての主流産業になると期待している。なぜならば、今日の携帯電話等には、多くのマイクロＳＤ（３）が利用され、最近の携帯電話等は素晴らしい音と大きな映像と解像度と、大容量メモリーを持っており、今やこの分野の漫画コミックでも、ダウンロードでの売上が毎月数十億円に達している。つまり、それほどの携帯電話等の使用需給が、これらのコンテンツを呑込む勢いにある。またこのＳＭＣカード（９）の需給先は携帯電話に留まらず、ＴＶ、カーナビ、デジカメ、カラオケ、携帯ゲーム機ハンディビデオ、その他に迄広がっている。
この商品は、まず一般の店のような過剰在庫問題が皆無である。
業種や場所を選ばずに、超省スペースショップが可能である。
信頼度ＮＯ．１のソフト供給会社と大手電気メーカーのコラポーションから誕生した。このような、おおくの可能比を秘めている特徴と経済効果を生み出すと期待されている。
【発明を実施するための最良の形態】
【０００８】  本発明によれば、現在、携帯電話（１３）を持っている人は９９％以上にのぼり、いまやこの性能は、携帯万能コンピュータであり、映像音声もＴＶ受像機を凌ぐ程である。この中で、マイクロＳＤ（３）の性能も跳躍的に進み、今や超小型の爪の先程のサイズにむしろ、その品質確保や保管方法、取扱い方法に難が生じていた。しかし、携帯電話（１３）に埋め込んだままで使用して、情報をダウンロードするには、手頃であった。だが現在は高齢化も進み、ダウロードを実践するデジタル人間だけでなく、多くのアナログ人間がいると云うことである。ダウンロードや多くの機能を、使いこなすことが、面倒であり苦手なのである。そのような人が日頃どんな趣味趣向に向かっているのだろうか。昔ながらに、書店で本を購入したり、レコード店でＤＶＤ等購入したりしているのである。つまりお店に足を運び注文購入してるのである。しかし、携帯電話等はほとんどの人が、常に身から離さず持っているのが現状である。このような状況ならば、最初から多くのコンテンツを入力した、マイクロＳＤ（３）等を販売し、提供したら良いのではと、本発明が提案されたのである。【０００９】  以下、図面を参考に説明すれば、図１および図２に図３に示すごとく、多様なコンテンツ（１）を求めて、来店したお客の注文（２）に応じて販売する、図１のごとく、マイクロＳＤ（３）等を、専用ケース（５）に着脱可能に収めたＳＭＣカード（９）を全国各地の店（１１）に置く、図３のごとくさらに大量多様なコンテンツ（１）の情報記憶、情報整理、情報管理統制、情報削除、情報更新、情報配信等の機能を持った、マスターコンピュータを最大限に利用した、コンテンツサーバー（６）を設け、このコンテンツサーバー（６）と専用インターネット（７）で契約締結接続された、ＳＭＣシステム端末機（８）を全国各地の店（１１）に設置する、前記端末機には、プリンター機能があり、ジャケットや取説内容を打出し、前記のＳＭＣカード、マイクロＳＤ等に貼り付ける。このＳＭＣカード（９）とＳＭＣシステム端末機（８）は、設置および置く時に、ＳＭＣシステム管理会社（１０）と契約締結して、店主は前記管理会社にレンタル料金あるいは現金支払を行う、図２のごとく、次にこれらが設置された店（１１）に、来店したお客は、求めるコンテンツ（１）を注文（２）すると、店がＳＭＣシステム端末機（８）のファイルの中から、マイクロＳＤ（３）にコンテンツ（１）を瞬時に入力する、この入力操作はお客様自身で入力する事もできる。そしてＳＭＣカード（９）として店（１１）より、お客はそれを現金、クレジット、プロペイド、ポイントカード等で購入する、また前記端末機にファイルが不足してる場合は、店（１１）がコンテンツサーバー（６）より、前記端末機に超高速ダウンロードを行い、このダウンロード操作もお客が行っても良い、瞬時にファイルしてマイクロＳＤ（３）等にコンテンツ（１）を入力し、お客に敏速にＳＭＣカード（９）にて販売する。このように顧客の求めるコンテンツ（１）を入力した、マイクロＳＤ（３）等の販売方法を特徴とする。
本発明は以上のような構成であり、これをお客や店等が使用せんとするときには、【００１０】  本発明はベストモードの１つとして、サイズが小さ過ぎるので、マイクロＳＤ等（３）を、美麗であり広告宣伝表示のついた、専用ケース（５）に着脱可能に収めて、ＳＭＣカード（９）と云うコンテンツ製品として、お客に販売する事である。お店の在庫スペースが少なくて済む面と、お店の人が取扱い易い面と、在庫を切らす事が無い面、さらに小スペースでも現在の大型ショップに匹敵する数量を、常時在庫してる状態で待つ事が出来る。またお客も、ＳＭＣカード（９）として保管したり、取扱い易い面と、携帯電話等のビューアーにマイクロＳＤ（３）等を挿入するだけで書籍に、なったり、映画になったり、オーディオ機器として音楽を聴いたりでき、非常に斬新且つ、画期的で、便利で重宝に使用できる。
【図面の簡単な説明】
【００１１】
【図１】  本発明のＳＭＣカードの斜視図である。
【図２】  本発明の販売説明図である。
【図３】  本発明のＳＭＣカードへのコンテンツ入力説明図である。
【符号の説明】
【００１２】  １  コンテンツ
２  注文
３  マイクロＳＤ
４  販売
５  専用ケース
６  コンテンツサーバー
７  専用インターネット
８  ＳＭＣシステム端末機
９  ＳＭＣカード
１０  ＳＭＣシステム管理会社
１１  店
１２  メモリー媒体等
１３  携帯電話
１４  レコード店
１５  携帯ショップ
１６  駅構内
１７  パチンコ店
１８  ＴＶ
１９  カーナビ
２０  デジカメ
２１  カラオケ
２２  携帯ゲーム機
２３  ハンディビデオ
２４  書店
【図１】
2009070354.tif 000003
【図２】
2009070354.tif 000004
【図３】
2009070354.tif 000005